(57)【要約】【課題】ガードシールによって横ズレ防止ができて安全であり、しかも剃り心地や感触が非常に改善された剃刀用の刃体を提供すること。【解決手段】剃刀の柄に取り付けられて、刃部１１をガードシール２０によって覆うようにした刃体１０であって、ガードシール２０に多数形成した各スリット２１の幅Ｓを、０．１０ｍｍ〜０．６０ｍｍとするとともに、各スリット２１間のガード２２の幅Ｇを、０．１０ｍｍ〜０．３０ｍｍとしたこと。【選択図】図１
2012040126.tif 000002
【特許請求の範囲】
【請求項１】
剃刀の柄に取り付けられて、刃部をガードシールによって覆うようにした刃体であって、
前記ガードシールに多数形成した各スリットの幅を、０．１０ｍｍ〜０．６０ｍｍとするとともに、各スリット間のガードの幅を、０．１０ｍｍ〜０．３０ｍｍとしたことを特徴とする刃体。
【請求項２】
前記各スリットの前記刃部先端からの深さを、０．１０ｍｍ〜０．６０ｍｍとしたことを特徴とする請求項１に記載の刃体。
【発明の詳細な説明】
【技術分野】
【０００１】
本発明は、剃刀用のガードシールを有する刃体に関し、剃り心地をより高めた刃体に関するものである。
【背景技術】
【０００２】
剃刀用のガードシールを有する刃体としては、特許文献１や特許文献２等において、種々なものが提案されてきている。
【先行技術文献】
【特許文献】
【０００３】
【特許文献１】特許第３４９０６５４号掲載公報
【特許文献２】特許第４２３４１２４号掲載公報
【発明の概要】
【発明が解決しようとする課題】
【０００４】
特許文献１には、図６に示すように、「剃刀具１は、使用者が手で把持する為の柄２と、柄２の先端部に取付けられた刃３とにより構成されている」ことが記載されていて、「上記した如き剃刀具１においては、使用者が刃先３ａを肌に当てたまま誤って刃先３ａに沿う方向に剃刀具１を操作しても肌を傷つけないように、刃先３ａにセーフティガード４を装着するようにしてある」ことも記載されている。
【０００５】
また、この特許文献１には、図６に示す如く、「セーフティガード４は、前記刃先３ａの長さ寸法より短い長さを有して薄板状に形成されたステンレスシート５に、横幅方向に延びる細長のブリッジ７を形成するよう、長手方向に沿って複数のスリット６を打抜き加工している」こと、「スリット６は、全て平行部の両側に円弧を備えた環状孔であり、ステンレスシート５の長手方向に平行であるスリット６の幅は約１.０ｍｍに形成され、且つスリット６，６同士の間であるブリッジ７の幅は約０．３ｍｍに形成されている」こと、が記載されている。
【０００６】
そして、この特許文献１の発明者は、
・上記従来の剃刀具１では、眉毛のラインを整える作業等において初心者が刃先３ａの先端部３刃体１０を用いると、横滑りをして僅かに切ってしまうおそれがあり、安心して使用できないという問題があったこと
・刃先３ａにブリッジ７を設けて安全性を向上させると、刃先３ａの切れ味がその分低下するという問題があったこと
に着目して、例えば、
「第一サブスリットの幅を０．８ｍｍ以上３．０ｍｍ以下に、第二サブスリットの幅を０．３ｍｍ以上０．８ｍｍ未満に、メインスリットの幅を０．８ｍｍ以上３．０ｍｍ以下に、ブリッジの幅を０．１０ｍｍ以上０．３ｍｍ以下にしたこと」
という具体化を図っている。
【０００７】
また、特許文献２では、特許文献１と同じ発明者による剃刀具が提案されているが、
・剃刀具１のセーフティガード８において第一サブスリット１１と第二サブスリット１２を形成する場合であっても、使用者が眉毛のラインや顔の起伏部分を整える作業方法によっては、メインスリット１３が皮膚に接触して僅かに切ってしまうおそれがあると共に、横滑りのおそれがあり、安全性を一層高めることが求められていたこと
・剃刀具の柄２を箸の持ち方で眉等の整毛作業を行う通常の使用例とは別に、剃刀具の柄２をナイフやフォークの持ち方で眉等の整毛作業を行う他の使用例では、メインスリット１３が皮膚に接触して僅かに切ってしまうおそれがあったこと
に着目して、例えば、
「第一サブスリットの幅を０．８ｍｍ以上３．０ｍｍ未満に、第二サブスリットの幅を０．６ｍｍ以上２．０ｍｍ未満に、第三サブスリットの幅を０．３ｍｍ以上０．８ｍｍ以下に、メインスリットの幅を０．６ｍｍ以上６．０ｍｍ以下に、ブリッジの幅を０．１０ｍｍ以上０．５ｍｍ以下にしたこと」
ということも提案している。
【０００８】
すなわち、これらの特許文献１及び２の発明者は、
・第一サブスリットの幅を、０．８ｍｍ以上３．０ｍｍ以下にすること
・第二サブスリットの幅を、０．３ｍｍ以上０．８ｍｍ未満、あるいは０．６ｍｍ以上２．０ｍｍ未満にすること
・メインスリットの幅を、０．８ｍｍ以上３．０ｍｍ以下、あるいは０．６ｍｍ以上６．０ｍｍ以下にすること
・ブリッジの幅を、０．１０ｍｍ以上で、０．５ｍｍ以下または０．３ｍｍ以下にすること
を提案しており、特に、特許文献２では、
・第三サブスリットの幅を０．３ｍｍ以上０．８ｍｍ以下にすること
を提案しており、つまるところ、複数種類の「スリット」を形成するとともに、各スリットについての幅が、最小で０．３ｍｍで、最大値の最小値を０．６ｍｍとしていることになる。
【０００９】
しかしながら、本発明者等が、ガードシールに多数形成した各スリットの幅が１．０ｍｍである刃体を消費者に試用してもらったところ、ヒゲやうぶ毛（女性が多い）の剃り取りや、横滑り（怪我の原因）防止は十分であったものの、剃り味や感触が余り良くなかったという結果が得られた。
【００１０】
そこで、本発明者等が、「何故、剃り味や感触が良くないのか」を検討した結果、少なくとも次の２つの原因が考えられるという結論に至ったのである。考えられる第１の原因は、スリットの幅が１．０ｍｍという広さを有する結果、刃部が肌に食い込むことであり、第２の原因は、幅が１．０ｍｍという一つのスリットが多数のヒゲやうぶ毛を同時に抱え込んで、これらを剃る際に肌を引っ張ることである。
【００１１】
第１の原因については、スリット幅Ｓ１が１．０ｍｍである場合、この種のガードシールが厚さの非常に薄い金属板を打ち抜き加工して形成されることとも相まって、図４の（ｂ）に示すように、肌表面３０の一部が刃部の先端（図４の（ｂ）では下端）より上側になること、つまり、図中の点線で示した食い込み部３１が生ずるからである。換言すれば、ヒゲ剃りを行っているときの刃部の先端は、多数のガードの存在によって肌表面３０から浮いた状態にある筈であるが、これらのガード間に存在しているスリットの幅が１．０ｍｍであることから、刃部の肌表面３０への食い込み部３１が存在することになり、刃部先端が肌表面３０をなぞることになって、剃り心地や感触が良くなくなるのである。
【００１２】
また、第２の原因について考察してみると、次のことが考えられる。一般に、ヒゲの太さは、約０．１５ｍｍ程度であり、女性の所謂うぶ毛の太さは、約０．１０ｍｍ程度である。これらのヒゲやうぶ毛が間隔を置かずに生えていることはないが、それでも、１．０ｍｍのスリットに同時に捕らえられる本数が２〜５本程度であることは十分考えられる。そうなると、ヒゲ剃りを行っているときに、一つのスリット内に複数のヒゲやうぶ毛が同時に捕らえられてこれらを同時に剃り落とさなければならないということは、刃部の先端に負荷が掛かるだけでなく、肌表面３０を引っ張ることにもなる。そうなると、剃り心地や感触が良くなくなることは当然である。
【００１３】
本発明者等は、以上の検討結果に基づいて、この種のガードシールを有する刃体の剃り心地や感触をより一層高めるためにはどうしたらよいかについて検討を重ねてきた結果、厚さが非常に薄い金属板に対する近年の打ち抜き加工技術やエッチング技術が非常に進歩してきていることに鑑み、本発明を完成したのである。
【００１４】
すなわち、本発明の目的とするところは、ガードシールによって横ズレ防止ができて安全であり、しかも剃り心地や感触が非常に改善された剃刀用の刃体を提供することにある。
【課題を解決するための手段】
【００１５】
以上の課題を解決するために、まず、請求項１に係る発明の採った手段は、後述する最良形態の説明中で使用する符号を付して説明すると、
「剃刀の柄に取り付けられて、刃部１１をガードシール２０によって覆うようにした刃体１０であって、
ガードシール２０に多数形成した各スリット２１の幅Ｓを、０．１０ｍｍ〜０．６０ｍｍとするとともに、各スリット２１間のガード２２の幅Ｇを、０．１０ｍｍ〜０．３０ｍｍとしたことを特徴とする刃体１０」
である。
【００１６】
すなわち、この請求項１に係る刃体１０では、そのガードシール２０に多数形成した各スリット２１の幅Ｓを、０．１０ｍｍ〜０．６０ｍｍとする必要があるが、その理由は、まず、スリット幅Ｓが０．１０ｍｍより小さければ、スリット２１形成加工が困難になるだけでなく、ヒゲやうぶ毛を捕らえることができなくて、「剃り」ができなくなるからである。
【００１７】
一方、スリット２１の幅Ｓを０．６０ｍｍ以下とする必要があるのは、スリット幅Ｓが０．６０ｍｍより大きければ、ヒゲ剃り時に、このスリット２１から露出している刃部１１の先端が肌表面３０に食い込み部３１を形成しながら移動することが多くなり、技術の背景で述べた第１の原因によって、肌表面３０に傷を付けるおそれが発生し易くなるからである。また、各スリット２１のスリット幅Ｓが０．６０ｍｍより大きければ、技術の背景で述べた第２の原因によって、一つのスリット２１が同時に複数のヒゲやうぶ毛を捕らえることになって、ヒゲ剃り時に違和感を発生させることにもなり得るからである。
【００１８】
特に、ガードシール２０に形成したスリット２１の幅Ｓは、０．１５ｍｍ〜０．４８ｍｍとすることがもっとも好ましい。
【００１９】
また、この請求項１の刃体１０では、各スリット２１間のガード２２の幅Ｇを、０．１０ｍｍ〜０．３０ｍｍとする必要があるが、その理由は、まず、このガード幅Ｇが０．１０ｍｍより小さければ、当該ガードシール２０によって刃部１１を覆う際にスリット幅Ｓが変動し易くなるからである。一方、ガード幅Ｇが０．６０ｍｍより大きければ、これらのガード２２によって覆う刃部１１の部分が大きくなり過ぎて、剃り残し部分が多くなってしまうからである。
【００２０】
以上のように構成した刃体１０でヒゲ剃りやうぶ毛剃りを行うと、図４の（ａ）に示すように、肌表面３０に刃部１１の食い込み部３１は発生しないから、剃り心地や感触は非常によいことになる。勿論、各スリット２１間にに捕らえられたヒゲやうぶ毛は、スリット２１間に露出している刃部１１によって剃り落とされることは言うまでもない。
【００２１】
また、この刃体１０によるヒゲ剃り時に、刃体１０全体が肌表面３０を「横滑り」したとしても、肌表面３０と刃部１１との間には、ガードシール２０に形成してある多数のガード２２が存在しているのであるから、肌表面３０に傷が付くことはない。
【００２２】
従って、この請求項１に係る刃体１０は、ガードシール２０によって横ズレ防止ができて安全であり、しかも剃り心地や感触が非常に改善されたものとなっているのである。
【００２３】
上記課題を解決するために、請求項２に係る発明の採った手段は、上記請求項１に記載の刃体１０について、
「各スリット２１の刃部１１先端からの深さ２３を、０．１０ｍｍ〜０．６０ｍｍとしたこと」
である。
【００２４】
各スリット２１の刃部１１先端からの深さ２３を、０．１０ｍｍ以上としなければならない理由は、スリット深さ２３が０．１０ｍｍより小さければ、当該ガードシール２０の刃部１１に対する取付けが困難になるからである。このガードシール２０は、従来技術を示す図６中の仮想線にて示すように、刃部１１に取付ける前は平らなものとして形成しておかれるのであり、刃部１１には「二つ折り」して取り付けられるものであるから、各ガード２２が短いとこの二つ折りする際にズレて、各スリット２１間の幅Ｓが変化し易くなるから、各スリット２１の刃部１１先端からの深さ２３が、０．１０ｍｍ以上となるようにしなければならないのである。
【００２５】
また、各スリット２１の刃部１１先端からの深さ２３を、０．１０ｍｍ以上としなければならない理由は、前述したように、例えばヒゲの太さが約０．１５ｍｍ程度であるから、もしスリット深さ２３が０．１０ｍｍより小さければ、折角スリット２１が捕らえたヒゲを刃部１１にて剃り落とすことができなくなるからである。
【００２６】
一方、各スリット２１の刃部１１先端からの深さ２３を、０．６０ｍｍ以下としなければならないのは、これより大きくしても意味がないからであり、スリット深さ２３が０．６０ｍｍより大きければ、ガードシール２０を二つ折りする際に、各ガード２２がその配列方向に折れ曲がり易くなり、各スリット２１間の幅Ｓが変化し易くなるからである。また、ヒゲ剃り後に、当該刃体１０を洗浄する際に、各ガード２２に何かが引っ掛かったとき、スリット深さ２３が０．６０ｍｍより大きければ当該ガード２２が曲がってスリット幅Ｓが大きく変化してしまうからである。
【００２７】
従って、この請求項２に係る刃体１０は、上記請求項１のそれと同様な機能を発揮する他、製造時や使用時におけるスリット幅Ｓの安定、一定幅の維持が図れるものとなっているのである。
【発明の効果】
【００２８】
以上、説明した通り、本発明においては、
「剃刀の柄に取り付けられて、刃部１１をガードシール２０によって覆うようにした刃体１０であって、
ガードシール２０に多数形成した各スリット２１の幅Ｓを、０．１０ｍｍ〜０．６０ｍｍとするとともに、各スリット２１間のガード２２の幅Ｇを、０．１０ｍｍ〜０．３０ｍｍとしたこと」
にその構成上の特徴があり、これにより、ガードシール２０によって横ズレ防止ができて安全であり、しかも剃り心地や感触が非常に改善された剃刀用の刃体１０を提供することができるのである。
【図面の簡単な説明】
【００２９】
【図１】本発明に係る刃体１０を示すもので、（ａ）はその拡大正面図、（ｂ）はその拡大背面図である。
【図２】同刃体１０の部分拡大正面図である。
【図３】同刃体１０を示すもので、（ａ）は拡大側面図、（ｂ）は図１の（ａ）中の１−１線に沿って見た拡大縦断面図、（ｃ）は図１の（ａ）中の２−２線に沿って見た拡大縦断面図である。
【図４】刃部１１と肌表面３０との位置関係を示すもので、（ａ）は本発明に係る刃体１０を使用したときの部分拡大正面図、（ｂ）は本発明に係る刃体１０のスリット２１におけるスリット幅Ｓの２倍のスリット幅Ｓを有する刃体１０を使用したときの部分拡大正面図である。
【図５】特許文献１に示された剃刀の平面図である。
【図６】図５において使用されているガードシール２０を展開して刃部１１との位置関係を示した拡大平面図である。
【発明を実施するための形態】
【００３０】
次に、上記のように構成した各請求項に係る発明を、図面に示した実施の形態である刃体１０について説明すると、この刃体１０は、例えば図５に示したような形態の「柄」や、「替え刃支持体」に取り付けられるものであり、刃部１１の先端をガードシール２０によって覆うことにより、図１に示したように形成したものである。なお、図１に示した刃体１０は、これを図示しない柄や替え刃支持体に取り付けるために、係合穴や係合凹所を設けたものである。
【００３１】
刃体１０の先端（図１では下端）には、ヒゲやうぶ毛を剃るための刃部１１が、刃体１０の全長に亘って形成してあり、その一部をガードシール２０に形成してあるスリット２１から露出させてあるとともに、このガードシール２０が有しているガード２２によって、この刃部１１の他の部分を覆うようにしてある。
【００３２】
本実施形態におけるガードシール２０は、厚さ０．１０ｍｍの金属板を打ち抜き加工またはエッチング加工することにより、多数のスリット２１とその間のガード２２とを備えたものである。また、このガードシール２０の、図１に示した横方向の長さは、？？ｍｍであり、形成されたスリット２１の数は５６本である。
【００３３】
このガードシール２０に形成してある各スリット２１及びガード２２は、図６の従来例にて示したように、ガードシール２０の長手方向に直交する状態で交互に形成されるものであり、図１の（ａ）及び（ｂ）から理解できるように、各ガード２２の中心で二つ折りして刃体１０の刃部１１に一体化されるものである。なお、ガードシール２０の刃部１１に対する一体化は、スリット２１やガード２２が形成されていない部分でスポット溶接するか、接着することによりなされる。
【００３４】
本実施形態のガードシール２０では、図２に示したように、スリット２１のスリット幅Ｓを０．４８ｍｍとし、ガード２２のガード幅Ｇを０．１５ｍｍとしたものである。また、図１の（ａ）及び（ｂ）に示したスリット深さ２３は、刃部１１の下端から０．６０ｍｍとなるようにしてある。
【００３５】
以上のように構成した結果、この実施形態に係る刃体１０は、図３の（ａ）に示したように、刃体１０の刃部１１下端の表裏がガードシール２０によって覆われるとともに、図３の（ｂ）に示したように、刃部１１の一部がスリット２１から露出することになる。そして、当該刃体１０を肌表面３０に当てたとき、図４の（ａ）に示したように、刃体１０の刃部１１は、ガード２２すなわち当該ガードシール２０の厚さ分だけ肌表面３０から離れることになる。また、各スリット２１間では、肌表面３０に刃部１１が食い込むことは非常に少なくなり、図４の（ｂ）に示したような食い込み部３１の発生が低減される。
【符号の説明】
【００３６】
１０    刃体
１１    刃部
２０    ガードシール
２１    スリット
２２    ガード
２３    スリット深さ
３０    肌表面
３１    食い込み部
Ｇ    ガード幅
Ｓ    スリット幅
【図１】
2012040126.tif 000003
【図２】
2012040126.tif 000004
【図３】
2012040126.tif 000005
【図４】
2012040126.tif 000006
【図５】
2012040126.tif 000007
【図６】
2012040126.tif 000008